(57)【要約】【課題】携帯情報端末に通話用に内蔵されているマイクロフォンを利用して、人体の２箇所の脈波を検出してその検出値から血圧測定を可能とする。【解決手段】携帯情報端末１の送話口にあるマイクロフォン２の前後に独立気室を形成して脈波を測定可能として第１のセンサとし、携帯情報端末１の使用時にユーザーが指で筺体を保持する位置に、第２のセンサとして脈波測定可能なマイクロフォン２又は赤外線センサ３を設け、第１のセンサで心臓近くの脈波を検出し、第２のセンサで親指の脈波を検出して、２つのセンサによる脈波の検出時間差からユーザーの血圧値を算出するようにした携帯情報端末１である。【選択図】図５
2014083122.tif 000002
【特許請求の範囲】
【請求項１】
フロントポートとダイヤフラムと電極とを備える指向性マイクロフォンを有する携帯情報端末であって、
前記フロントポートの開口部を塞ぐ可撓性薄膜と前記ダイヤフラムとの間に形成された前気室と、前記電極の後方をケースで気密に覆うことで前記電極との間に形成された後気室とを有することを特徴とする携帯情報端末。
【請求項２】
前記ケースは前記携帯情報端末の筺体であり、前記筺体は外気に対して気密構造を採ることを特徴とすることを特徴とする請求項１に記載の携帯情報端末。
【請求項３】
前記筐体にセンサを有し、
前記指向性マイクロフォンと前記センサが同じ時間帯に検出した生体信号の時間差を検出する信号処理部を設けたことを特徴とする請求項２に記載の携帯情報端末。
【請求項４】
前記信号処理部は、検出した生体信号の時間差に基づいて前記携帯情報端末を使用するユーザーの血圧値を算出することを特徴とする請求項３に記載の携帯情報端末。
【発明の詳細な説明】
【技術分野】
【０００１】
本出願は生体信号を検出可能な携帯情報端末に関する。
【背景技術】
【０００２】
近年、高齢化が進む先進国では、高齢者が自己の健康管理に多大な注意を払うようになってきており、自宅で血圧、心拍数を測定できる血圧計が普及すると共に、携帯情報端末にも歩行数計が搭載されて健康状態をモニターするようになってきている。一例として、中空のフレームに低周波用コンデンサマイクロフォンを取り付けたセンサユニットを就寝中の被験者の寝具の下に敷いて、被験者の心拍数、呼吸数、寝返りの時間、及びいびきの回数を測定するものがある（特許文献１）。
【０００３】
更に、携帯電話端末に通話用に内蔵されているマイクロフォンを利用して、低周波の振動を検出できる携帯電話端末とし、生体信号等の低周波領域用の圧力変動検出手段として使用する携帯電話端末及び健康状態監視システムが特許文献２に開示されている。特許文献２に開示の端末及びシステムでは、開口を有する筺体の内部に開口側からスクリーンと電極及び通孔を有する区画壁がこの順に配置されたマイクロフォンにおいて、区画壁の後方にチャンバー（気室）を形成し、低周波領域の圧力変動を検出できるようにしている。一般に携帯電話端末に内蔵されるマイクロフォンでは２０Ｈｚ以上の音声しか検出できないが、特許文献２では対向電極とケーシングの密閉端の間に通孔を有する区画壁で形成された後方チャンバーを設けている。この後方チャンバーにより、特許文献２に開示の端末及びシステムでは、音声信号に加えて、０．１Ｈｚ程度の周波数領域まで測定でき、室内や自動車内の圧力変化、更には心拍、呼吸、体動及びいびき等の生体信号が検出できる。
【先行技術文献】
【特許文献】
【０００４】
【特許文献１】特開平１１−２８１９５号公報
【０００５】
【特許文献２】特開２０１０−２０７５５３号公報
【発明の概要】
【発明が解決しようとする課題】
【０００６】
ところが、特許文献２に開示の端末及びシステムでは、筺体内に設けられたスクリーンの前方に筺体の開口があるために、スクリーンを駆動する空気が漏れ易く、スクリーンの十分な駆動ができず、低周波域での感度が十分に取れないという問題点があった。
【０００７】
１つの側面では、本出願は、携帯情報端末に通話用に内蔵されているマイクロフォンを利用して、マイクロフォンを当てる人体の部位を限定することなく、僅かな脈拍の変動でも測定できる携帯情報端末を提供することを目的とする。他の側面では、本出願は、携帯情報端末に２箇所の低周波領域の圧力変動を検出できるセンサを設け、血圧測定が可能な携帯情報端末を提供することを目的とする。
【課題を解決するための手段】
【０００８】
実施形態の一観点によれば、携帯情報端末に内蔵され、フロントポートとダイヤフラムと電極とを備える指向性マイクロフォンに対して、フロントポートの前面側を可撓性薄膜で塞いでダイヤフラムとの間に前気室を形成すると共に、電極の後方をケーシングで気密に覆って電極との間に後気室を形成し、音声帯域以下の低周波領域の圧力変動を検出できるようにしたことを特徴とする携帯情報端末が提供される。
【０００９】
実施形態の他の観点によれば、携帯情報端末に内蔵され、フロントポートとダイヤフラムと電極とを備えるマイクロフォンに対して、フロントポートの前面側を可撓性薄膜で塞いでダイヤフラムとの間に前気室を形成すると共に、電極の後方をケーシングで気密に覆って電極との間に後気室を形成し、音声帯域以下の低周波領域の圧力変動を検出できるようにしたマイクロフォンを、携帯情報端末の送話口に第１のセンサとして設けると共に、携帯情報端末を使用するユーザーが指で筺体を保持すると想定される位置に、指の脈波を検出できるセンサを第２のセンサとして設け、携帯情報端末の内部には、第１と第２のセンサが同じ時間帯に検出した生体信号の時間差を検出する信号処理部を設けたことを特徴とする携帯情報端末が提供される。
【図面の簡単な説明】
【００１０】
【図１】（ａ）は本出願が対象とする携帯情報端末の一例の斜視図、（ｂ）は（ａ）に示される携帯情報端末の送話口に搭載されるコンデンサマイクロフォンの構造を示す透視図、（ｃ）は（ｂ）に示されるコンデンサマイクロフォンの構造を示す断面図である。
【図２】（ａ）は携帯情報端末に搭載されるコンデンサマイクロフォンに前気室と後気室を設けた一実施例の構造を示す斜視図、（ｂ）は（ａ）に示されるマイクロフォンの縦断面図、（ｃ）は携帯情報端末の送話口に搭載された本出願の一実施例のマイクロフォンの構造を示す携帯情報端末の断面図である。
【図３】（ａ）は本出願の具体的な一実施例に係るマイクロフォンが取り付けられた携帯情報端末の斜視図、（ｂ）は（ａ）に示される携帯情報端末のマイクロフォン部分の部分断面図である。
【図４】（ａ）は本出願の他の実施例に係るマイクロフォンが取り付けられた携帯情報端末の斜視図、（ｂ）は（ａ）に示される携帯情報端末の長手方向の断面図である。
【図５】（ａ）は図３（ａ）に示される携帯情報端末が左手で保持される場合に親指が置かれる位置に脈波検出センサが搭載された実施例を示す携帯情報端末の斜視図、（ｂ）は脈波検出センサの一実施例の構成を示す正面図、（ｃ）は（ｂ）に示される脈波検出センサの動作を説明する説明図である。
【図６】（ａ）は図５（ａ）に示される携帯情報端末を胸に当てて血圧を測定する場合の使用例を示す図、（ｂ）は図５（ａ）に示される携帯情報端末を首筋に当てて血圧を測定する場合の使用例を示す図である。
【図７】図５（ａ）に示される携帯情報端末において血圧を測定する回路の構成を示す構成図である。
【図８】図７に示される信号処理部の血圧算出動作を示すフローチャートである。
【図９】図５（ａ）に示される携帯情報端末から親指が置かれる位置に設けられた脈波検出センサを省略した実施例を示す携帯情報端末の斜視図である。
【図１０】（ａ）は図９に示される携帯情報端末を胸に当てて血圧を測定する場合の使用例を示す図、（ｂ）は図９に示される携帯情報端末を首筋に当てて血圧を測定する場合の使用例を示す図である。
【図１１】図９に示される携帯情報端末において血圧を測定する回路の構成を示す構成図である。
【図１２】図１１に示される信号処理部の血圧算出動作を示すフローチャートである。
【発明を実施するための形態】
【００１１】
以下、添付図面を用いて本出願の実施の形態を、具体的な実施例に基づいて詳細に説明する。
【００１２】
図１（ａ）は、本出願が対象とする携帯情報端末１の一例を示している。形態情報端末１には中央部にディスプレイ６があり、ディスプレイ６の下側に送話用のマイクロフォン２があり、上側に受話用のスピーカ７がある。９は機能ボタンである。
【００１３】
図１（ｂ）は図１（ａ）に示される携帯情報端末１の送話口に搭載されるマイクロフォン２の構造を示す透視図であり、図１（ｃ）は図１（ｂ）の断面を示している。マイクロフォン２は一般に指向性エレクトレットコンデンサマイクロフォンであり、ケーシング２０の先端部にあるフロントポート２１を通った外気の振動（音）によりダイヤフラム２２が振動し、電極２３との間隔が変化する。ダイヤフラム２２が振動すると、電極２３との間のコンデンサの容量が変化し、この容量変化が電気信号に変換されて音が電気信号になり、ＦＥＴのようなアンプ２９で増幅されて外部に取り出される。マイクロフォン２のケーシング２０の後端部にはバックポート２４が設けられている。
【００１４】
以上のような構成を備えたマイクロフォン２に対して、本出願では、図２（ａ）、（ｂ）に示すように、マイクロフォン２の前後を隔壁１９で仕切り、隔壁１９の前方を可撓性薄膜（以後フレキシブルフィルムという）２５で塞って、ダイヤフラムとの間に前気室２６を形成する。更に、隔壁１９の後方はケース２７で気密に覆って電極との間に後気室２８を形成する。隔壁１９はフレキシブルではない。外気圧の変動は前気室２６とフロントポート２１を通ってダイヤフラムに伝わる。後気室２８は隔壁１９とケース２７により、前気室２６とは隔てられた空間となる。
【００１５】
マイクロフォン２において、外気圧の変動（音）は、フロントポート２１とバックポート２４のそれぞれを伝わって、ダイヤフラム２２に到達する。可聴帯域以下の超低周波音のように音の周波数が低いと、気圧変動がゆっくりであるため、フロントポート２１からの気圧変動とバックポート２４からの気圧変動がほぼ同じ位相で発生し、前後から押し合うことによって、ダイヤフラム２２の振動は小さくなる。この結果、マイクロフォン２の感度が低下する。本出願では、後気室２８は密閉され、前気室２６とは分離されているので、フロントポート２１を経由する気圧変動と、バックポート２４を経由する気圧変動とは独立になる。そのため、超低周波音であっても、ダイヤフラム２２を前後から同位相で押すことがなく、マイクロフォン２の感度が下がることがない。また、前気室２６があることにより、フロントポート２１に与える空気の流量を増やすことができ、超低音域でのダイヤフラム２２の振動を大きくすることができるので、音声帯域以下の低周波領域の圧力変動を検出できる。
【００１６】
図２（ｃ）は、図２（ａ）、（ｂ）に示す構造を備えたマイクロフォン２を携帯情報端末１に組み込んだ実施例を示すものである。低周波領域の圧力変動を検出するマイクロフォンは、携帯情報端末１の送話口に搭載されたマイクロフォン２を使用する。この実施例では、マイクロフォン２の前面側がセパレータ１３を介して筐体１０に取り付けられている。セパレータ１３には、ゴムやウレタンのパッキンなどを使用し、筐体１０とマイクロフォン２との間に空気を通さない状態が作られている。そして、この実施例では、筐体１０のマイク孔１２に、フレキシブルフィルム２５が設置されている。フレキシブルフィルム２５は、プラスチックフィルムなどの、伸縮性のある薄いフィルムであり、素材としては塩化ビニル、アクリル、ポリカーボネートを用いることができる。
【００１７】
フレキシブルフィルム２５と、筐体１０と、セパレータ１３と、マイクロフォン２の前面に囲まれた空間が前気室２６である。一方、マイクロフォン２の後面側は、筐体１０内の空間を用いて後気室２８を形成する。携帯情報端末１がスマートフォンの場合は、一般的にスピーカ７も筺体１０内に取り付けられており、その前面にも空気孔１４が存在する。そこで、後気室２８を密閉化するため、スピーカ７もセパレータ１３を介して筐体１０内の回路基板８に取り付けられている。この実施例によれば、スピーカ７の部分にも空気孔１４のある携帯電話端末やスマートフォン端末でも、超低周波音を検知することができる。５はディスプレイである。
【００１８】
図３（ａ）は本出願のマイクロフォン２が取り付けられた具体的な一実施例に係る携帯情報端末１の斜視図を示しており、図２（ｂ）は図２（ａ）に示される携帯情報端末１のマイクロフォン２が設置された部分の部分断面図を示している。この実施例では、マイクロフォン２は携帯情報端末１の機能ボタン９よりも端部側の筺体１０に設けられている。マイクロフォン２としては、図１（ｃ）で説明した構造のマイクロフォン２を使用しており、そのケーシング２０が筺体１０に埋め込まれ、筺体１０の上表面１０Ｆには、フロントポート２１の上側に取り付けられたフレキシブルフィルム２５が露出している。フレキシブルフィルム２５の表面は、筺体１０の上表面１０Ｆから膨出されており、人体に密着させ易いようになっている。このフレキシブルフィルム２５とフロントポート２１との間の空間が前気室２６である。マイクロフォン２の後気室２８を形成するケース２７はこの実施例では、携帯情報端末１の筺体１０である。また、図示は省略するが、携帯情報端末１の機能ボタン９と筺体１０の上表面１０Ｆとの間も気密となっている。
【００１９】
図４（ａ）は、本出願のマイクロフォン２が取り付けられた他の実施例に係る携帯情報端末１の斜視図であり、図４（ｂ）は図４（ａ）に示される携帯情報端末１の長手方向の概略断面図である。この実施例では、前気室２６にフレキシブルフィルムが取り付られておらず、マイク孔１２の周囲に環状の凸部１１が設けられている。環状の凸部１１はゴムやウレタンなどの柔軟な材料で形成されている。この実施例では、環状の凸部１１を、二点鎖線で示す人体Ｂの皮膚などの検出対象物に直接接触させることにより、環状の凸部１１と対象物とにより気室が構成され、これが前気室２６となる。その他の構造は図２（ｃ）に示した実施例の携帯情報端末１の構造と同じであるので、同じ構成部材には同じ符号を付してその説明を省略する。
【００２０】
図４（ａ）、（ｂ）に示した実施例によれば、環状の凸部１１と対象物との接触により前気室２６が外気に対して密閉されることになるので、後気室２８は必ずしも密閉されていなくても良い。即ち、環状の凸部１１の前方に設けられた空気孔１４の周囲にも環状の凸部１１を設けて、測定時に空気孔１４の周囲の環状の凸部１１も人体Ｂの皮膚などの検出対象物に直接接触させるようにすれば、スピーカ７にセパレータ１３を設けなくても構わない。この実施例によれば、心拍、呼吸など、振動している対象物に直接触れることができる状態で、その振動波形を検知する目的において、前述の実施例１よりも簡単な構成で実現できる。
【００２１】
図５（ａ）は、図３（ａ）に示される携帯情報端末１が左手Ｈで保持される場合に、親指Ｔの指先が置かれる位置に脈波検出センサ３が搭載された実施例を示すものである。携帯情報端末１を左手Ｈで持つ場合、親指Ｔが置かれる位置は筺体１０の左側の側面１Ｌであるので、左側の側面１Ｌに脈波検出センサ３を設置する。脈波検出センサ３としては、図３（ｂ）で説明したマイクロフォン２と同様の構造を備えたマイクロフォン２を使用することができるが、マイクロフォン２に代えて、図５（ｂ）に示すような近赤外線を用いた赤外線センサ５を使用することができる。赤外線センサ５は光源であるＬＥＤなどを備える発光素子５１と受光素子５２とを備える。脈波検出センサ３は右側の側面でも良い。
【００２２】
図５（ｃ）は図５（ｂ）に示される脈波検出センサである赤外線センサ５の動作を説明する説明図である。発光素子５１と受光素子５２は基板５０の上に設けられており、発光素子５１から人体Ｂに向けて赤外線を照射し、その反射光を受光素子５２で受光する。動脈５３を流れる血液Ａは心臓からの拍動に伴い血流量が変化し、血流量が多い部分の動脈５３が膨張する。動脈５３を流れる血液Ａの中にはヘモグロビンＨＧが存在し、発光素子５１から入射された光を吸収する特性があるため、時系列に光反射量を受光素子５２で検出することにより、脈波流を取得することができる。
【００２３】
ここで、ヘモグロビンの吸収度合を見るのに適した波長は近赤外域７００〜９００ｎｍである。この波長域は水分やヘモグロビンその他の生体構成物質での吸収が少なく、生体を通過しやすい。一方で、携帯電話機に搭載されている赤外線通信用のＩｒＤＡ方式で使用する波長は、同じく近赤外域で８５０〜９００ｎｍである。しかし、ＩｒＤＡ方式の発光、受光素子は、赤外線通信に最適化されたモジュール構造になっており、生体に対して発光して、血管内の血液で反射する光を受けるための構造にはなっていない。そのため、ＩｒＤＡ方式の発光、受光素子では、脈波をとらえることはできない。従って、ＩｒＤＡ方式用の赤外線センサを脈波を見るセンサとして兼用することはできず、脈波検出センサである赤外線センサ５は、赤外線通信用のＩｒＤＡ方式に使用する赤外線センサとは別に設けたものである。
【００２４】
図５（ａ）に示されるような２つの脈波検出センサ２，３を備えた携帯情報端末１を用いると、携帯情報端末１の脈波検出センサ２を当てた人体の位置の脈波と、親指Ｔの脈波の、人体の距離の離れた２箇所の脈波を検出することができる。そして、人体の距離の離れた２箇所において脈波を測定することができると、その脈波の検出時間差を求めることにより、血圧を計算によって求めることができる。
【００２５】
図６（ａ）は、図５（ａ）に示される携帯情報端末１を左手Ｈに持ち、通話口を胸に当てて血圧を測定する場合の使用例を示す図であり、図６（ｂ）は図５（ａ）に示される携帯情報端末１を同じく左手Ｈに持ち、通話口を首筋に当てて血圧を測定する場合の使用例を示す図である。これらの場合、必ず親指Ｔは携帯情報端末１の左側の側面１Ｌにある脈波検出センサ３の上に置き、通話口を人体Ｂの脈波が検出できる位置に置くようにする。
【００２６】
図７は、図５（ａ）に示される携帯情報端末１において血圧を測定する回路の構成を示すものである。第１のセンサ（マイクロフォン）２と第２のセンサ（赤外線センサ）５の出力は信号処理部４に入力されており、信号処理部４は２つのセンサ２，５から入力された脈波信号の検出時間差に基いて血圧を計算し、計算して求めた血圧値をディスプレイ６に表示する。第２のセンサはマイクロフォン２でも良い。
【００２７】
図８は図７に示される信号処理部４の血圧算出動作を示すフローチャートである。測定が開始されると、ステップ８０１で第１のセンサおよび第２のセンサからの脈波のデータが入力される。データ入力は、リアルタイムで入力しても、バッファしたデータを読み込んでも構わない。続くステップ８０２では、信号処理部４は第１のセンサおよび第２のセンサからのデータの波形の時間差を算出する。データの波形の時間差算出は、波形の特徴点、たとえばピークやゼロクロス点を、２つのデータ間で比較することにより算出することができる。また、データの波形のピークより一定の割合で信号値が低下した時点を基準に求めても構わない。例えば、上のピークと下のピークの振幅の５０％の時点を基準にしても構わない。
【００２８】
そして、ステップ８０３で信号処理部４は算出した時間差に基き、得られる循環器系のパラメータを算出する。例えば、第１のセンサ（通話口のマイクロフォン）が心臓付近での脈波を捕え、第２のセンサが親指の指先での脈波を捕えると、心臓から送り出された血液がどの程度の時間をもって親指の指先まで伝わるかが判定できる。それにより、血圧に相関したパラメータを算出することができる。最後に信号処理部４はステップ８０４において算出した循環器系のパラメータ（血圧値）を、携帯情報端末に搭載されたディスプレイに出力してこのルーチンを終了する。なお、算出した循環器系のパラメータ（血圧値）は、携帯情報端末からの電波に乗せて他の医療機器に送信するようにすることも可能である。
【００２９】
なお、血圧が人体の２点間の、脈波パルスの到達時間の変化で求めることができることは、以下に示す参考文献１に記載されている。
（参考文献１）
W. Chen, T. Kobayashil, S. lchikawa, Y. Takeuchi, T. Togawa, “Continuous estimation of systolic blood pressure using the pulse arrival time and intermittent calibration,” Medical＆Biological Engineering＆Computing vol.3,pp.569-574, 2000.
【００３０】
この参考文献によれば、基準状態の血圧Ｐｂと到達時間Ｔｂとを予め調べておき、到達時間Ｔｂに対する到達時間の変化ΔＴにより、血圧Ｐｅを算出することができる（参考文献の式(10)を参照）。この参考文献によれば、図８のステップ８０３で算出した時間差、すなわち到達時間をＴとし、到達時間の変化ΔＴ＝Ｔ−Ｔｂとして、ステップ８０４で参考文献の式(10)を用いることで、血圧Ｐｅを算出することができる。
【００３１】
図９は、図５（ａ）に示されるような２つの脈波検出センサ２，３を備えた携帯情報端末１において、脈波検出センサ２のみで血圧を求めるために、脈波検出センサ３を省略した実施例を示すものである。携帯情報端末１の脈波検出センサ２を当てた人体の位置の脈波の波形により、例えば、特開２００２−３２０５９３による脈波の波形から血圧を求めるアルゴリズムを用いれば第１のセンサ（通話口のマイクロフォン）による脈波波形のみで血圧を求めることができ、第２のセンサが不要になる。
【００３２】
図１０（ａ）は、図９に示される携帯情報端末１を左手Ｈに持ち、通話口を胸に当てて血圧を測定する場合の使用例を示す図であり、図１０（ｂ）は図９に示される携帯情報端末１を同じく左手Ｈに持ち、通話口を首筋に当てて血圧を測定する場合の使用例を示す図である。これらの場合、図６（ａ）もしくは図６（ｂ）で説明した実施例と異なり、親指の位置は自由になる。
【００３３】
図１１は、図９に示される携帯情報端末１において血圧を測定する回路の構成を示すものである。脈波検出センサ（第１のセンサ：マイクロフォン）２の出力は信号処理部４に入力されており、信号処理部４は脈波検出センサ２から入力された脈波信号の信号波形に基づいて血圧を計算し、計算して求めた血圧値をディスプレイ６に表示する。
【００３４】
図１２は図１１に示される信号処理部４の血圧算出動作を示すフローチャートである。測定が開始されると、ステップ１２０１で第１のセンサ（脈波検出センサ）からの脈波のデータが入力される。データ入力は、リアルタイムで入力しても、バッファしたデータを読み込んでも構わない。続くステップ１２０２では、信号処理部４は第１のセンサのデータの波形から、予め定められた特定のアルゴリズムに基づき、循環器系のパラメータを算出する。第１のセンサのデータは、脈波のデータであり、その波形から、特定のアルゴリズムにより血圧を算出することができる。
【００３５】
最後に、信号処理部４はステップ１２０３において、算出した循環器系のパラメータ（血圧値）を、携帯情報端末に搭載されたディスプレイに出力してこのルーチンを終了する。なお、算出した循環器系のパラメータ（血圧値）は、携帯情報端末からの電波に乗せて他の医療機器に送信するようにすることも可能である。
【００３６】
ここで、血圧が人体の１点での、脈波の波形で求めることができることは、以下に示す参考文献２に記載されている。
（参考文献２）
特開２００２−３２０５９３号公報
【００３７】
この参考文献２に記載の動脈血圧測定方法によれば、以下のように、動脈波形および動脈波形を微分した動脈微分波形から、最大血圧、最低血圧を算出することが可能である。
【００３８】
一拍ごとの動脈微分波形のゼロクロス点を用いて、その一拍における動脈微分波形の一周期の時間Ｔと、動脈波形の最低値に対応するゼロクロス点から最大値に対応するゼロクロス点までの時間Ｔａと、時間Ｔから時間Ｔａを差し引いた時間Ｔｂを求めるゼロクロス演算工程を行い、血圧演算工程では、この演算により求めた時間Ｔと時間Ｔａと時間Ｔｂの値を用いて、一分間脈拍数ｎをｎ＝（６０／Ｔ）により求め、一拍ごとの最大血圧Ｐｈを、Ａ、Ｂを定数、ＬＯＧを常用対数として、関係式｛Ｐｈ＊ｎ＝−Ａ＊ＬＯＧ（Ｔａ＊Ｔｂ）−Ｂ｝から算出し、一拍ごとの最低血圧Ｐｌを、Ｃ、Ｄを定数として、関係式｛ｎ＊ｎ／Ｐｌ＝Ｃ＊（Ｔｂ＊Ｔｂ）D｝から算出する。
【００３９】
以上説明したように、本出願では、空気を通さないフレキシブルフィルムを、携帯情報端末のマイクロフォンの前気室を塞ぐように設置することにより、これに押し当てられた指の表面の振動をフレキシブルフィルムが内部の空気の圧力変化に変換する。そして、マイクロフォンは前気室から伝えられた空気の圧力変化を検出することにより、マイクロフォンで脈拍を検出することが可能となる。そして、このようなマイクロフォンを携帯情報端末の表側と一方の側面に設置することにより、一方のマイクロフォンを頸動脈に、他方のマイクロフォンを指に押し当てれば、携帯情報端末によって血圧を検出することできる。なお、携帯情報端末の筺体の側面に設置するマイクロフォンの代わりに、赤外線センサを設置しても親指の指先の脈波を検出することが可能である。
【００４０】
また、人体の１点で脈波波形より血圧を求めるアルゴリズムを用いれば、このようなマイクロフォンを１か所に設置するだけで、血圧を検出することができる。
【００４１】
更に、図５（ａ）に示した携帯情報端末１のように、親指Ｔの指先が置かれる位置に脈波検出センサ３が搭載された携帯情報端末１では、人体の１点で脈波波形より血圧を求めるアルゴリズムを用いることにより、脈波検出センサ３で血圧を検出することができる。即ち、携帯情報端末１を左手Ｈで保持して通話している間に、親指Ｔの指先が置かれる位置の脈波検出センサ３により血圧を検出することが可能である。
【００４２】
以上、本出願を特にその好ましい実施の形態を参照して詳細に説明した。本出願の容易な理解のために、本出願の具体的な形態を以下に付記する。
【００４３】
（付記１）  フロントポートとダイヤフラムと電極とを備える指向性マイクロフォンを有する携帯情報端末であって、
前記フロントポートの開口部を塞ぐ可撓性薄膜と前記ダイヤフラムとの間に形成された前気室と、前記電極の後方をケースで気密に覆うことで前記電極との間に形成された後気室とを有することを特徴とする携帯情報端末。
（付記２）  前記可撓性薄膜が前記フロントポートの前方を、所定の空間を隔てて塞ぐことを特徴とする付記１に記載の携帯情報端末。
（付記３）  前記可撓性薄膜は、前記マイクロフォン近傍の前記携帯情報端末の筺体を人体に接触させた時に、人体に接触する位置に設けられていることを特徴とする付記１または２に記載の携帯情報端末。
（付記４）  フロントポートとダイヤフラムと電極とを備える指向性マイクロフォンを有する携帯情報端末であって、前記携帯情報端末の筺体上に開口するマイク孔の周縁部に柔軟な材料を用いて環状凸部を形成して、前記環状凸部が人物の肌に密着させられた時に前記肌とダイヤフラムとの間に前気室が形成されるようにすると共に、前記電極の後方をケースで気密に覆うことで前記電極との間に後気室を形成したことを特徴とする携帯情報端末。
（付記５）  前記ケースは前記携帯情報端末の筺体であり、前記筺体は外気に対して気密構造を採ることを特徴とする付記１から４の何れかに記載の携帯情報端末。
（付記６）  前記ケースと前記電極との間にバックポートが設けられていることを特徴とする付記１から５の何れかに記載の携帯情報端末。
（付記７）  前記筐体にセンサを有し、
前記指向性マイクロフォンと前記センサが同じ時間帯に検出した生体信号の時間差を検出する信号処理部を設けたことを特徴とする付記５に記載の携帯情報端末。
（付記８）  前記センサが、前記指向性マイクロフォンと同じ構造を備える指向性マイクロフォンであることを特徴とする付記７に記載の携帯情報端末。
（付記９）  前記センサが、赤外線センサであることを特徴とする付記７に記載の携帯情報端末。
（付記１０）  前記センサの設置位置は、前記携帯情報端末を使用するユーザーが親指で筺体を保持すると想定される前記携帯情報端末の左右何れかの側面であることを特徴とする付記７から９の何れかに記載の携帯情報端末。
（付記１１）  前記信号処理部は、検出した生体信号の時間差に基づいて前記携帯情報端末を使用するユーザーの血圧値を算出することを特徴とする付記７から１０の何れかに記載の携帯情報端末。
【符号の説明】
【００４４】
１    携帯情報端末
２    指向性マイクロフォン
３    脈波センサ
５    赤外線センサ
６    ディスプレイ
１０    筺体
１１    環状凸部
１２    マイク孔
２１    フロントポート
２２    ダイヤフラム
２３    電極
２５    可撓性薄膜（フレキシブルフィルム）
２６    前気室
２８    後気室
【図１】
2014083122.tif 000003
【図２】
2014083122.tif 000004
【図３】
2014083122.tif 000005
【図４】
2014083122.tif 000006
【図５】
2014083122.tif 000007
【図６】
2014083122.tif 000008
【図７】
2014083122.tif 000009
【図８】
2014083122.tif 000010
【図９】
2014083122.tif 000011
【図１０】
2014083122.tif 000012
【図１１】
2014083122.tif 000013
【図１２】
2014083122.tif 000014